(57)【要約】【課題】収納されたロール紙を引き出し切断できるロール紙収納箱を提供する。【解決手段】ロール紙収納箱１は、上面が開口し、ロール紙５を収納可能な紙製の箱部２と、箱部２の上面を覆う開閉可能な紙製の蓋部３とを備える。蓋部３は、箱部２の背面２ｂから延びて、箱部２の前面に達する。蓋部３の前縁３１の両端部３１ａは、前縁３１の両端部３１ａの間の中間部３１ｂより厚みが薄くなっている。【選択図】図１
2020121739.tif 000002
【特許請求の範囲】
【請求項１】
上面が開口し、ロール紙を収納可能な紙製の箱部と、
箱部の上面を覆う開閉可能な紙製の蓋部とを備え、
前記蓋部は、前記箱部の背面から延びて、前記箱部の前面に達し、
前記蓋部の前縁の両端部は、前縁の両端部の間の中間部より厚みが薄くなっている、ロール紙収納箱。
【請求項２】
前記蓋部の前縁の前記両端部、及び、前記中間部は直線状である、請求項１に記載のロール紙収納箱。
【請求項３】
前記蓋部の前縁の前記中間部は、紙を折り返した稜で形成され、前記両端部は、前記折り返して２重になった紙の一方を切り欠いて形成される、請求項１又は２に記載のロール紙収納箱。
【請求項４】
前記箱部の前面の上部の両端に突起が設けられ、
前記突起は、前記蓋部が閉じられた状態で、前記蓋部の裏面の切欠きに係る、請求項１〜３のいずれか１項に記載のロール紙収納箱。
【請求項５】
前記箱部及び前記蓋部を含むロール紙収納箱は、１枚の紙を折り曲げて組み立てられる、請求項１〜４のいずれか１項に記載のロール紙収納箱。
【発明の詳細な説明】
【技術分野】
【０００１】
本発明は、ロール紙を収納するための紙製のロール紙収納箱に関する。
【背景技術】
【０００２】
従来、クッキングシートや、各種フィルム等のロール状のシートを引き出し可能に収納するための箱が用いられている。例えば、特開２０１６−１０８０５４号公報（特許文献１）には、クッキングシートロール体収納カートンが記載されている。このクッキングシートロール体収納カートンは、クッキングシートロール体を収納する箱形の本体と、本体の上面開口を覆い、本体の背面板の上縁から傾動可能に連接されている蓋体と、蓋体の前縁に取り付けられた切断刃とを備える。
【先行技術文献】
【特許文献】
【０００３】
【特許文献１】特開２０１６−１０８０５４号公報
【発明の概要】
【発明が解決しようとする課題】
【０００４】
上記従来のロール体収納カートンでは、蓋体の前縁の切断刃で、本体に収納されたロール体から引き出したクッキングシートを切断する構成である。本願発明らは、ロール紙を引き出して切断できるロール紙収納箱の作成を検討した。検討の中で、従来の切断刃を蓋に設ける構成では、ロール紙の切断に適さないことがわかった。
【０００５】
本発明は、収納されたロール紙を引き出し切断できるロール紙収納箱を提供することを目的とする。
【課題を解決するための手段】
【０００６】
本発明の１つの観点によるロール紙収納箱は、上面が開口し、ロール紙を収納可能な紙製の箱部と、箱部の上面を覆う開閉可能な紙製の蓋部とを備える。前記蓋部は、前記箱部の背面から延びて、前記箱部の前面に達する。前記蓋部の前縁の両端部は、前縁の両端部の間の中間部より厚みが薄くなっている。
【０００７】
上記構成によれば、ロール紙収納箱の蓋部は、箱部の背面から延びて前面に達する。すなわち、箱部の前縁は、前面に達する。前縁の両端部が、その間の中間部より厚みが薄くなっている。収納箱から前面に引き出されたロール紙は、蓋部の前縁に当てられて切断される構成となっている。箱部の前面に引き出されたロール紙が蓋部の前縁で切断される際には、まず、ロール紙の幅方向の両端が蓋部の両端部に当てられる。蓋部の両端部が、ロール紙の切断の起点となる。蓋部の両端部の厚みを中間部より薄くすることで、ロール紙の切断初期において、ロール紙に切れ目が入りやすくなる。これにより、少ない力で、ロール紙を前縁に沿って切断することができる。そのため、繰り返しロール紙を切断しても蓋部３又は箱部２が壊れにくい。収納されたロール紙を引き出し切断することが可能なロール紙収納箱が提供できる。
【０００８】
前記蓋部の前縁の前記両端部及び前記中間部は直線状とすることができる。すなわち、蓋部の前縁は、直線状に形成することができる。これにより、ロール紙を少ない力できれいに切断することができる。
【０００９】
前記蓋部の前縁の前記中間部は、紙を折り返した稜で形成されてもよい。前記両端部は、前記折り返して２重になった紙の一方を切り欠いて形成されてもよい。これにより、簡単な構成で蓋部の両端部の厚みを中間部より薄くすることができる。
【００１０】
前記箱部の前面の上部の両端に突起が設けられてもよい。前記突起は、前記蓋部が閉じられた状態で、前記蓋部の裏面の切欠きに係るよう構成されてもよい。これにより、蓋部が閉じられた状態を保持することができる。
【００１１】
前記箱部及び前記蓋部を含むロール紙収納箱は、１枚の紙を折り曲げて組み立てられる構成であってもよい。これにより、製造が容易になる。
【発明の効果】
【００１２】
本発明によれば、収納されたロール紙を引き出し切断できるロール紙収納箱を提供することができる。
【図面の簡単な説明】
【００１３】
【図１】本実施形態におけるロール紙収納箱の斜視図である。
【図２】図１に示すロール紙収納箱の蓋部を開けた状態の斜視図である。
【図３】図２の蓋部の前縁の両端部付近の拡大図である。
【図４】ロール紙収納箱を前面から見た前面図である。
【図５】ロール紙収納箱を背面から見た背面図である。
【図６】ロール紙収納箱１を展開した型紙を示す図である。
【発明を実施するための形態】
【００１４】
図１は、本実施形態におけるロール紙収納箱の斜視図である。図２は、図１に示すロール紙収納箱の蓋部を開けた状態の斜視図である。図１及び図２に示す例では、ロール紙収納箱１は、ロール紙５を収納する箱部２と、箱部２の上面を覆う開閉可能な蓋部３とを備える。蓋部３は、箱部２の背面から延びて、箱部２の前面２ｆに達する。蓋部３と箱部２は連続した一枚の紙を折り曲げて形成される。
【００１５】
箱部２は、上面が開口している。箱部２は、前面２ｆ、２つの側面２ｓ、底面２ｄ、及び背面２ｂを有する。蓋部３は、上面３ｕ、２つの側面３ｓ、及び前面３ｆを有する。蓋部３が閉じられた状態では、箱部２の前面２ｆは、蓋部３の前面３ｆと重なり、箱部２の側面２ｓは蓋部の側面３ｓと重なる。箱部２の開口から引き出されたロール紙は、箱部２の前面２ｆと蓋部３の前面３ｆの間を通ることになる。
【００１６】
蓋部３の前縁３１は、蓋部３の前面３ｆの端である。箱部２の側面を下にして蓋部３が閉じられた状態では、前縁３１が蓋部３の最下端となる。ロール紙を箱部２から引き出した状態で蓋部３を閉じると、蓋部３の前縁３１は、箱部２から引き出されたロール紙に接触する。蓋部３の前縁３１の両端部３１ａは、前縁３１の両端部３１ａの間の中間部３１ｂより厚みが薄くなっている。これにより、蓋部３を閉じた状態で、箱部２から引き出されたロール紙を、蓋部３の前縁３１に対して前縁３１の端から順に押し当てながら引くことで、ロール紙を切断することができる。
【００１７】
図２では、蓋部３の前縁３１の両端部３１ａ及び中間部３１ｂを裏から見た構成が示されている。図３は、図２の両端部３１ａ付近の拡大図である。蓋部３の前縁３１の中間部３１ｂは、ロール紙収納箱１を形成する紙を折り返した稜で形成される。両端部３１ａは、折り返して２重になった紙の一方を切り欠いて形成される。すなわち、蓋部３の前縁３１の中間部３１ｂは、紙の折り目の稜で形成され、両端部３１ａは、紙のエッジで形成されている。両端部３１ａの厚みは、紙１枚分であり、中間部３１ｂの厚みは、紙ほぼ２枚分に相当する。また、両端部３１ａは、紙のエッジに相当し、中間部３１ｂは、折れ曲がった紙の表面に相当する。
【００１８】
このように、ロール紙の切断の起点となる前縁３１の両端に近い両端部３１ａの厚みを、中間部の厚みより薄く形成することで、ロール紙をスムーズに切断することができる。具体的には、ロール紙の切断の初期に、厚みの薄い両端部３１ａに、ロール紙が接触し、ロール紙に切り込みが入りやすくなる。すなわち、両端部３１ａにより、切断初期のロール紙の切り込み発生が促進される。これにより、より少ない力で、前縁３１にロール紙を当てて切断することができる。また、繰り返し切断に対するロール紙収納箱１の耐久性が確保される。
【００１９】
図４は、ロール紙収納箱１を前面から見た前面図である。図５は、ロール紙収納箱１を背面から見た背面図である。図４に示すように、蓋部３の前縁３１の両端部３１ａ、及び、その間の中間部３１ｂは直線状である。すなわち、蓋部３の前縁３１には凹凸（ぎざぎざ）が形成されていない。このように、前縁３１を直線状に形成することで、前縁３１に押し当てて切断したロール紙の切り口を直線に近くすることができる。すなわち、ロール紙を、よりきれいに切断することができる。
【００２０】
図４に示す例では、蓋部３の前縁３１の両端部３１ａと中間部３１ｂを、１本の仮想直線に沿って連続して形成している。また、蓋部３の前縁３１は、箱部２に収納されるロール紙の軸方向に直線状に延びて形成される。
【００２１】
また、前縁３１の両端部３１ａは、前縁の両端から若干離れた位置に設けられる。このように、厚みを薄くした両端部３１ａと前縁３１の両端との間に、両端部３１ａより厚みが厚い部分を設けることができる。これにより、蓋部３の前縁３１の両端の強度を高めることができる。結果として、ロール紙の切断時に蓋部３の前縁３１にかかる荷重に対する蓋部３の耐性が高め、切断の繰り返しに対する耐久性を高めることができる。
【００２２】
また、前面から見て、両端部３１ａの線と、中間部３１ｂの線は、略同一線上に位置している。すなわち、両端部３１ａと、中間部３１ｂの下端の高さは略同じになっている。これにより、ロール紙をよりスムーズに切断できる。
【００２３】
再び、図２及び図３を参照し、箱部２の前面２ｆの上部の両端には、突起２１が設けられる。突起２１は、箱部２の外側に突出する。蓋部３の前面の裏面３ｆ−ｕの上部の両端には、切欠き３２ｋが形成される。箱部２の突起２１は、蓋部３が閉じられた状態で、蓋部３の裏面の切欠き３２ｋに係る。蓋部３の裏面の切欠き３２ｋは、突起２１に対応した位置に設けられる。切欠き３２ｋは、突起２１が嵌まることができる形状を有する。この突起２１と切欠き３２ｋの係合により、蓋部３が閉じられた状態を保持することができる。
【００２４】
突起２１は、箱部２の前面２ｆから前方に飛び出した紙片で形成することができる。例えば、箱部２の側面２ｓを形成する紙が延長した部分で突起２１を形成することができる。このように、箱部２を形成する紙の延長部分で突起２１を形成することで、突起２１に、蓋部３を保持するのに適した剛性を持たせることができる。
【００２５】
図６は、ロール紙収納箱１を展開した型紙を示す図である。図６の型紙に示す符号は、図１〜図５に示す箱部２及び蓋部３の部位の符号に対応している。このように、ロール紙収納箱１は、１枚の紙を折り曲げて組み立てられる。
【００２６】
図６に示す例では、蓋部３の前縁３１の中間部３１ｂは、蓋部３の前面３ｆと前面の裏面３ｆ−ｕとの間の折り目の部分で形成される。両端部３１ａは、この折り目の延長線に沿った切欠きの部分で形成される。すなわち、中間部３１ｂの稜を形成する折り目の延長線を縁とする切欠きの部分において、その折り目の延長線の切欠きの縁が、両端部３１ａのエッジとなる。
【００２７】
突起２１は、箱部２の側面２ｓを形成する部分を延長して形成されている。突起２１を嵌めるための切欠き３２ｋは、蓋部３の前面の裏面３ｆ−ｕを形成される紙の両端を切り欠いて形成される。
【００２８】
箱部の前面２ｆを形成する部分の両端から係合部２２ｆが延びて形成される。また、箱部の背面２ｂを形成する部分の両端からも係合部２２ｂが延びて形成される。これらの前面２ｆから延びる係合部２２ｆと背面２ｂから延びる２２ｂは、互いに、係合し合う形状となっている。これらの係合部２２ｂ、２２ｆが組み立て時に係合される。これにより、箱部２の形状が、より安定して保持される。
【００２９】
図６に示す例では、型紙を折り曲げるだけで、ロール紙収納箱１を組み立てることができる。すなわち、組み立ての際に、紙を、接着したり、結合具を用いて結合したりする工程は不要である。
【００３０】
ロール紙収納箱１を形成する紙の紙目は、箱部に収納されるロール紙の軸の方向に垂直な方向であることが好ましい。これにより、ロール紙を切断する時にロール紙収納箱１にかかる荷重に対して、蓋部３及び箱部２が変形しにくくなる。その結果、ロール紙の切断の繰り返しに対するロール紙収納箱の耐久性が高くなる。ここで、紙目（紙の流れ目）は、紙の繊維の流れの方向である。紙目の方向に沿って、紙は折れやすい。
【００３１】
ロール紙収納箱１を形成する紙は、特に限定されないが、例えば、ラミネート加工した紙を用いてもよい。ラミネート加工することにより、美粧性の向上に加え、ロール紙収納箱１の耐久性を高めることができる。ラミネート加工の例としては、ＰＰ（Poly-Propylene）貼加工が挙げられる。ラミネート加工は、例えば、印刷された紙に、接着剤を塗布して、例えば、ポリプロピレンフィルム（Poly-Propylene Film）等を圧着させる。一例として、紙の両面に均等の強度を保つように、紙の両面にフィルム貼加工を施すことができる。なお、紙の片面のみフィルム貼加工を施してもよい。
【００３２】
ロール紙収納箱１の製造工程、例えば、用紙を準備する工程、用紙に印刷する工程、用紙にラミネート加工する工程、用紙の打ち抜き工程、及び組み立て工程を含む。用紙の打抜きは、例えば、トムソン型を用いて行うことができる。
【００３３】
本発明は、上記実施形態に限られない。例えば、蓋部３の前縁３１の中間部３１ｂは、紙を折り曲げた稜線で形成する代わりに、切り離された２枚以上の紙を重ねて形成されてもよい。また、上記例では、蓋部３の前縁３１の両端部３１ａは、前縁３１の両端に接していないが、両端部３１ａは、前縁３１の両端に接していてもよい。また、展開型紙の形状は、図６に示す例に限られない。
【符号の説明】
【００３４】
１  ロール紙収納箱
２  箱部
３  蓋部
３１  蓋部の前縁
３１ａ  両端部
３１ｂ  中間部
５  ロール紙
【図１】
2020121739.tif 000003
【図２】
2020121739.tif 000004
【図３】
2020121739.tif 000005
【図４】
2020121739.tif 000006
【図５】
2020121739.tif 000007
【図６】
2020121739.tif 000008
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
上面が開口し、ロール紙を収納可能な紙製の箱部と、
箱部の上面を覆う開閉可能な紙製の蓋部とを備え、
前記蓋部は、前記箱部の背面から延びて、前記箱部の前面に達し、
前記蓋部の前縁の両端部は、前縁の両端部の間の中間部より厚みが薄くなっており、
前記箱部から前記前面に引き出されたロール紙が、前記紙製の蓋部の前縁に当てられて切断されるよう構成される、ロール紙収納箱。
【請求項２】
前記蓋部の前縁の前記両端部、及び、前記中間部は直線状である、請求項１に記載のロール紙収納箱。
【請求項３】
前記蓋部の前縁の前記中間部は、紙を折り返した稜で形成され、前記両端部は、前記折り返して２重になった紙の一方を切り欠いて形成される、請求項１又は２に記載のロール紙収納箱。
【請求項４】
前記箱部の前面の上部の両端に突起が設けられ、
前記突起は、前記蓋部が閉じられた状態で、前記蓋部の裏面の切欠きに係る、請求項１〜３のいずれか１項に記載のロール紙収納箱。
【請求項５】
前記箱部及び前記蓋部を含むロール紙収納箱は、１枚の紙を折り曲げて組み立てられる、請求項１〜４のいずれか１項に記載のロール紙収納箱。
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
上面が開口し、ロール紙を収納可能な紙製の箱部と、
箱部の上面を覆う開閉可能な紙製の蓋部とを備え、
前記蓋部は、前記箱部の背面から延びて、前記箱部の前面に達し、
前記蓋部の前縁の両端部は、前縁の両端部の間の中間部より厚みが薄くなっており、
前記蓋部の前縁の前記中間部は、紙を折り返した稜で形成され、前記両端部は、前記折り返して２重になった紙の一方を切り欠いて形成され、
前記箱部から前記前面に引き出されたロール紙が、前記紙製の蓋部の前縁に当てられて切断されるよう構成される、ロール紙収納箱。
【請求項２】
前記蓋部の前縁の前記両端部、及び、前記中間部は直線状である、請求項１に記載のロール紙収納箱。
【請求項３】
前記箱部の前面の上部の両端に突起が設けられ、
前記突起は、前記蓋部が閉じられた状態で、前記蓋部の裏面の切欠きに係る、請求項１又は２に記載のロール紙収納箱。
【請求項４】
前記箱部及び前記蓋部を含むロール紙収納箱は、１枚の紙を折り曲げて組み立てられる、請求項１〜３のいずれか１項に記載のロール紙収納箱。